(57)【要約】【課題】複数の端末が接続されたサーバからデータ配信を行いたい端末だけに配信可能なデジタルペンシステムを提供すること。【解決手段】本発明におけるデジタルペンシステムは、アドレスデータが印刷された用紙からアドレスデータを取得するデジタルペンと、デジタルペンと通信可能に接続され複数の記憶手段を備えたサーバを備えたデジタルペンシステムであって、デジタルペンはアドレスデータとサーバの記憶手段を指定する指定情報を互いに関連付けてサーバに送信する手段を備え、サーバはアドレスデータ及び指定情報を受信し指定情報に基づいて複数の記憶手段のうち少なくとも一つにアドレスデータを格納させる手段と格納したアドレスデータを送信する手段を備えたデジタルペンシステムである。このような構成により、データ配信を行いたい端末だけに配信可能なデジタルペンシステムを提供することが可能となる。【選択図】図１
2007109025.tif 000002
【特許請求の範囲】
【請求項１】
アドレスデータが印刷された用紙から前記アドレスデータを取得するデジタルペンと、前記デジタルペンと直接または端末を介して通信可能に接続され、複数の記憶領域を有するサーバを備えたデジタルペンシステムであって、
前記デジタルペンは、前記用紙から取得した前記アドレスデータと前記サーバの記憶領域を指定する指定情報を互いに関連付けて前記サーバに送信する手段を有し、
前記サーバは、前記デジタルペンから前記アドレスデータ及び前記指定情報を受信する手段と、受信した前記指定情報に基づいて前記複数の記憶領域のうち少なくとも一つに前記アドレスデータを格納する手段と、前記記憶手段に格納した前記アドレスデータを送信する手段を有するデジタルペンシステム。
【請求項２】
前記指定情報は、前記デジタルペンに予め登録された情報であることを特徴とする請求項１記載のデジタルペンシステム。
【請求項３】
前記指定情報は、前記デジタルペンにより入力されることを特徴とする請求項１記載のデジタルペンシステム。
【請求項４】
前記指定情報は、前記デジタルペンに接続された前記端末が指定した情報であることを特徴とする請求項１記載のデジタルペンシステム。
【請求項５】
前記サーバは、前記記憶手段と予め関連付けられた送信先全てに前記アドレスデータを送信する手段を有することを特徴とする請求項１乃至４いずれかに記載のデジタルペンシステム。
【請求項６】
前記デジタルペンと前記端末間の通信は、ブルートゥース方式により行われることを特徴とする請求項１乃至５いずれかに記載のデジタルペンシステム。
【請求項７】
前記デジタルペンと前記端末間の通信は、ＵＳＢ方式により行われることを特徴とする請求項１乃至５いずれかに記載のデジタルペンシステム。
【発明の詳細な説明】
【技術分野】
【０００１】
本発明はデジタルペンシステムに関するものであり、より詳細には、デジタルペンで入力したアドレスデータをサーバにより処理するデジタルペンシステムに関する。
【背景技術】
【０００２】
ペンなどの筆記用具は人間にとって扱いやすい入力手段の一つである。近年、筆記用具の入力方法の利点を活かしながら手書き入力情報のデータ処理の容易なデジタルペンが開発され、利用されるようになってきた。
【０００３】
デジタルペンは手書き入力情報をデジタルデータに変換することができるため、サーバにデータを送信し、ネットワーク接続された端末にデータを配信する等の方法が行うことが可能である。
【０００４】
このように、デジタルペンにより入力された手書き入力情報をサーバに格納し、サーバがこの手書き入力情報をネットワークを介して接続された端末に配信するというデジタルペンシステムがいくつか提案されている（例えば、特許文献１など）。
【０００５】
しかしながら、従来のデジタルペンシステムでは、サーバに接続した端末全てからサーバ上のデータが利用可能であり、セキュリティを考慮する場合は、サーバに接続する端末を制限するしか方法がないものであった。
【特許文献１】特開２００４−３０５９２号公報
【発明の開示】
【発明が解決しようとする課題】
【０００６】
このように、従来のデジタルペンシステムは、サーバに接続した端末全てからサーバ上のデータが利用可能であり、セキュリティを考慮する場合は、サーバに接続する端末を制限するしか方法がないものであった。
【０００７】
本発明は、このような問題点を解決するためになされたものであり、複数の端末が接続されたサーバからデータ配信を行いたい端末だけにデータの配信を行うことが可能なデジタルペンシステムを提供することを目的とする。
【課題を解決するための手段】
【０００８】
本発明におけるデジタルペンシステムは、アドレスデータが印刷された用紙から前記アドレスデータを取得するデジタルペンと、前記デジタルペンと直接または端末を介して通信可能に接続され、複数の記憶領域を有するサーバを備えたデジタルペンシステムであって、前記デジタルペンは、前記用紙から取得した前記アドレスデータと前記サーバの記憶領域を指定する指定情報を互いに関連付けて前記サーバに送信する手段を有し、前記サーバは、前記デジタルペンから前記アドレスデータ及び前記指定情報を受信する手段と、受信した前記指定情報に基づいて前記複数の記憶領域のうち少なくとも一つに前記アドレスデータを格納する手段と、前記記憶手段に格納した前記アドレスデータを送信する手段を有するデジタルペンシステムである。このような構成により、データ配信を行いたい端末だけにデータの配信を行うことが可能なデジタルペンシステムを提供することが可能となる。
【０００９】
前記指定情報は、前記デジタルペンに予め登録された情報であることを特徴としてもよい。このようにすることにより、指定情報の入力が不要となる。
【００１０】
前記指定情報は、前記デジタルペンにより入力されることを特徴としてもよい。このようにすることにより、指定情報を容易に変更することが可能となる。
【００１１】
前記指定情報は、前記デジタルペンに接続された前記端末が指定した情報であることを特徴としてもよい。このようにすることにより、指定情報の入力が不要となる。
【００１２】
前記サーバは、前記記憶手段と予め関連付けられた送信先全てに前記アドレスデータを送信する手段を有することを特徴としてもよい。このようにすることにより、特定の複数の送信先に送信することが可能と成る。
【００１３】
前記デジタルペンと前記端末間の通信は、ブルートゥース方式により行われることを特徴としてもよい。
【００１４】
前記デジタルペンと前記端末間の通信は、ＵＳＢ方式により行われることを特徴としてもよい。
【発明を実施するための最良の形態】
【００１５】
発明の実施の形態１．
図１に示す模式図を用いて本発明におけるデジタルペンシステムの構成例について説明する。本発明におけるデジタルペンシステムは、デジタルペン１１、サーバ２２、携帯電話機１３、パーソナルコンピュータ（ＰＣ）１４、用紙１５を備える。
【００１６】
デジタルペン１１は、ユーザーが手書き入力によりアドレスデータを入力するための入力手段である。デジタルペン１１は、携帯電話機１３と無線通信などにより通信可能であり、入力されたアドレスデータを携帯電話機１３に送信する。また、デジタルペン１１は、個別の識別情報を格納しており、格納した個別の識別情報をアドレスデータと互いに関連付けて携帯電話機１３に送信する。
【００１７】
サーバ２２は、携帯電話機１３から受信したアドレスデータの格納を行うサーバである。サーバ２２の具体的構成については後に詳しく説明する。サーバ２２は、市販のサーバやＰＣに専用のアプリケーションをインストールすることにより利用することが可能である。サーバ２２に格納されたアドレスデータは、必要に応じてＰＣ１４に送信される。
【００１８】
携帯電話機１３は、デジタルペン１１からアドレスデータと識別情報を受信し、サーバ２２に対して受信したアドレスデータ及び識別情報を送信する。ここでは携帯電話機としたが、サーバ２２に対してアドレスデータを送信することが可能であれば、通信機能を備えたＰＤＡ（Personal Digital Assistant）などの携帯端末でもよいし、ＰＣでもよい。
【００１９】
ＰＣ１４は、サーバ２２に格納されたアドレスデータをサーバ２２から受信し、処理を行う。ＰＣ１４は、市販のＰＣをそのまま利用することが可能である。
【００２０】
用紙１５は、デジタルペン１１によりアドレスデータを入力するための専用の用紙である。ここでの実施例ではアノト方式によりアドレスデータを記録するため、専用の用紙が必要である。アノト方式については後に詳しく説明する。
【００２１】
続いて、アドレスデータ入力の方法についてより詳細に説明する。アドレスデータは、デジタルペン１１による手書き入力により入力される。本実施形態では、アノト方式により手書き入力が行われる。図２は、本発明におけるデジタルペン１１の構造の概略を示す概略図である。デジタルペン１１は、インクリフィル１１１、圧力センサ１１３、光学モジュール１１５、カメラ１１７、光照射装置１１９、バッテリ１２１、ＣＰＵ１２３、メモリ１２５、情報処理モジュール１２７、クロック１２９、ＵＳＢ（Universal Serial Bus）１３１、無線通信システム１３３、振動子１３５、ＬＥＤ（Light Emitting Diode）１３７を備える。
【００２２】
インクリフィル１１１は、通常の筆記用ペンと同様に、紙にインクを転写することにより筆記結果を記録するインクを保持するものである。圧力センサ１１３は、ユーザーがデジタルペン１１により手書き入力を行っていることを検知する手段であり、手書き入力中は圧力センサがインクリフィル１１１の先端に加わった圧力を検知する。
【００２３】
光学モジュール１１５は、カメラ１１７及び光照射装置１１９を備えている。カメラ１１７は、光照射装置１１９から照射され、用紙１５を反射した光を受光するための受光装置である。光照射装置１１９は、用紙１５に対して光を照射する装置である。ここでの光は赤外線を利用するが、カメラ１１７により受光し、光学モジュール１１５により検出可能であれば、赤外線に限らず別の波長の光でもよい。
【００２４】
バッテリ１２１は、デジタルペン１１の各部に電力を供給するための電力供給手段である。ＣＰＵ１２３は、デジタルペン１１を制御するための制御手段である。メモリ１２５は、デジタルペン１１内のデータを記憶するための記憶手段である。情報処理モジュール１２７は、ＣＰＵ１２３とメモリ１２５を有し、データの変換や格納を行う。
【００２５】
クロック１２９は、手書き入力が行われる時間を計測するための時間計測手段である。ＵＳＢ１３１は、デジタルペン１１により入力されたアドレスデータ等を接続した電子機器に転送するためのデータ送信手段である。無線通信システム１３３は、無線通信手段を備えた他の電子機器に対してアドレスデータ等を送信するためのデータ送信手段である。無線通信手段は、ブルートゥース（登録商標）による方式などが用いられるが特に限定されない。ＵＳＢ１３１と無線通信システム１３３は、どちらか一方を備えていればもう一方が備えられていなくても本発明によるデジタルペンシステムは動作可能である。
【００２６】
振動子１３５は、振動により情報をユーザーに伝える手段である。ＬＥＤ１３７は、点灯、点滅などにより情報をユーザーに伝える手段である。振動子１３５とＬＥＤ１３７は、どちらか一方を備えていればもう一方が備えられてなくてもユーザーに情報を伝えることが可能である。
【００２７】
デジタルペン１１がアドレスデータを記録するためには、用紙１５に手書き入力を行う必要がある。図３は、用紙１５の構成例を示す図である。用紙１５には、一定の間隔の格子２０３の各交点２０５に外周が接するように同一の直径の点２０１が印刷されている。点２０１は、光学モジュール１１５により検出可能であれば、人間の眼により識別不可能な色で印刷されていてもよい。例えば、カメラ１１７が赤外線カメラである場合、用紙１５全体が赤外線を反射し、点２０１が赤外線を吸収するインクで印刷されていることにより点２０１を光学モジュール１１５により検出可能である。
【００２８】
また、格子２０３は実際に見える必要はなく、データ処理上想定された格子でもよい。格子２０３の間隔は、短いほど解像度の高い画像を得ることができる。本実施形態では、光学モジュール１１５の読み取り精度を考えると０．３ｍｍ程度が好ましい。また、この場合、点２０１の直径は８０μｍから１２０μｍが好ましい。ただし、これらの値は特に限定されない。
【００２９】
点２０１は、格子２０３の交点２０５から上下左右のいずれかの方向にずれた位置に印刷されている。この上下左右の４方向の情報は２ビットの情報とすることができる。つまり点２０１は１つにつき２ビットの情報を持つことになり、６×６の３６個の交点２０５とその上下左右に位置する点２０１は６×６×２＝７２ビットの情報を持つことになる。用紙１５は、６×６の３６個の交点の領域毎に点２０１の上下左右の並びを変え、位置情報として記録している。この位置情報を７２ビットのデータに変換したものがアドレスデータである。
【００３０】
デジタルペン１１は毎秒５０回から１００回カメラ１１７により用紙１５を撮影し、光学モジュール１１５により点２０１の並びを検出し、検出した並びから用紙１５の位置情報を取得しアドレスデータを生成する。このようにしてデジタルペン１１は、ユーザーが手書き入力を行った際に生成するアドレスデータにより、用紙１５のどの位置に記入したかを記録することが可能となる。
【００３１】
用紙１５の左上位置にピジェット２１１と呼ばれる領域が設けられている。ユーザーがデジタルペン１１によりピジェット２１１をチェックすると、光学モジュール１１５は、ピジェット２１１の位置情報を取得しアドレスデータを生成する。デジタルペン１１は、ピジェット２１１の位置情報を取得しアドレスデータを生成すると、ページの更新を行うようにプログラムされており、手書き情報を画像データに変換する際にピジェット２１１のチェック前のアドレスデータと、チェック後のアドレスデータは重なることなく異なるデータとして扱われる。
【００３２】
ユーザーがデジタルペン１１により用紙１５の右下位置に設けられたピジェット２１３をチェックすると、光学モジュール１１５は、ピジェット２１３の位置情報を取得しアドレスデータを生成する。デジタルペン１１は、ピジェット２１３の位置情報を取得しアドレスデータを生成するとアドレスデータの送信を行うようにプログラムされており、ＵＳＢ１３１または無線通信システム１３３により接続された携帯電話機１３にアドレスデータの送信を行う。このようにして、ユーザーはデジタルペン１１によりピジェット２１３の領域をチェックすることによりデジタルペン１１に格納されたアドレスデータを接続された携帯電話機１３に送信することが可能となる。
【００３３】
デジタルペン１１から携帯電話機１３にアドレスデータを送信する方法について説明する。図４は、デジタルペン１１と携帯電話機１３間を、ＵＳＢケーブルを介して送信する例である。デジタルペン１１は、ＵＳＢ１３１に接続されたＵＳＢケーブルにより携帯電話機１３と接続され、ＵＳＢ１３１からＵＳＢケーブルを介して携帯電話機１３にアドレスデータが送信される。送信の方法はＵＳＢの規格に準ずる。
【００３４】
図５は、無線通信システムを介して送信する例である。デジタルペン１１は、無線通信システム１３３により無線でデータを携帯電話機１３に対して送信する。無線通信の方法は、ブルートゥース等が考えられるが、他の無線通信を用いてもよい。送信の方法はブルートゥース方式に準ずる。
【００３５】
図６に示すブロック図を用いて、サーバ２２の構成について説明する。サーバ２２は、制御部２２０、受信部２２１、記憶部２２２、送信部２２３を備える。
【００３６】
制御部２２０は、ＣＰＵ（Central Processing Unit）等により構成され、サーバ２２の制御を行う。受信部２２１、記憶部２２２、送信部２２３の動作は制御部２２０からの指示によるものである。受信部２２１は、モデムやルータ等により構成され、携帯電話機１３からアドレスデータを受信する。
【００３７】
記憶部２２２は、ＨＤＤ（Hard Disk Drive）などにより構成され、受信部２２１の受信したアドレスデータを格納する。記憶部２２２は、複数の記憶領域を備え、受信したデータの内容に応じて予め定められた領域にアドレスデータを格納する。
【００３８】
送信部２２３は、モデムやルータ等により構成され、ＰＣ１４に対してアドレスデータを送信する。受信部２２１と送信部２２３は同一のモデムやルータを利用してもよい。
【００３９】
続いて、図７に示すシーケンス図を用いて、本発明の実施の形態１における処理の流れについて説明する。
【００４０】
まず、利用者がデジタルペン１１を用いて用紙１５に書き込みを行うと、デジタルペン１１は手書き情報の入力処理を実行する（Ｓ１１）。デジタルペン１１は、書き込みに応じて取得された、用紙１５のアドレスデータをデジタルペン１１の備える記憶部２２２に格納する。
【００４１】
入力が完了するとデジタルペン１１は、サーバ２２に対して格納したアドレスデータを送信する（Ｓ１２）。このときのアドレスデータの送信は携帯電話機１３を介して行われるが、直接デジタルペン１１からサーバ２２に対してアドレスデータの送信が可能であれば、直接送信するようにしてもよい。
【００４２】
このとき、デジタルペン１１には予め個人情報が格納されており、アドレスデータの送信と共に格納されている個人情報をアドレスデータと関連付けて送信する。個人情報の代わりにデジタルペン１１が備えている固有のＩＤを利用するようにしてもよい。これが格納する記憶領域を指定する指定情報となる。
【００４３】
サーバ２２は、デジタルペン１１から送信されたアドレスデータ及び個人情報を受信すると、受信したアドレスデータを記憶部２２２に格納する（Ｓ１３）。このとき、制御部２２０は、アドレスデータと関連付けられた個人情報の内容により記憶部２２２の備える領域のうちどの領域に格納するかを判定し、記憶部２２２の判定した領域に格納する。
【００４４】
ＰＣ１４は、サーバ２２に格納されたアドレスデータを取得する場合、サーバ２２に対して送信データ確認要求情報を送信する（Ｓ１４）。サーバ２２は、ＰＣ１４から送信データ確認要求情報を受信すると、送信データがあるか否かを判定し（Ｓ１５）、送信データがある場合はＰＣ１４に対して記憶部２２２に格納されているアドレスデータを送信する（Ｓ１６）。
【００４５】
送信データがあるか否かの判定は次のようにして行う。ＰＣ１４がサーバ２２に対して送信する送信データ確認要求情報には、記憶部２２２の備える領域のうちどの領域を指定するかの情報が含まれている。サーバ２２は、ＰＣ１４から送信データ確認要求情報を受信すると、受信した送信データ確認要求情報から記憶部２２２の備える領域のうちどの領域を指定するかを示す情報を取得し、取得した当該情報に指定されている領域にアドレスデータが格納されているかを確認し、アドレスデータが格納されている場合、格納されているアドレスデータをＰＣ１４に対して送信する。
【００４６】
ＰＣ１４は、サーバ２２からアドレスデータを受信すると、内蔵しているアプリケーションソフトにより、受信したアドレスデータに対応した処理を行う。このようにして、デジタルペン１１により入力した手書き入力情報をＰＣ１４により処理を行うことが可能となる。
【００４７】
発明の実施の形態２．
所望の相手に対して手書き入力情報を送信することを可能にした例である。図８に示す模式図を用いて本発明におけるデジタルペンシステムの構成例について説明する。本発明におけるデジタルペンシステムは、デジタルペン１１、サーバ２２、携帯電話機１３、ＰＣ１４、用紙１５、ＰＣ１６を備える。デジタルペン１１、サーバ２２、携帯電話機１３、ＰＣ１４、用紙１５の具体的内容については発明の実施の形態１と同様であり、ここでは説明を省略する。また、ＰＣ１６は宛先となるユーザーのＰＣであり、ＰＣ１４と同じ構成のＰＣをそのまま利用可能である。
【００４８】
続いて、図９に示すシーケンス図を用いて、本発明の実施の形態２における処理の流れについて説明する。
【００４９】
まず、利用者がデジタルペン１１を用いて用紙１５に書き込みを行うと、デジタルペン１１は手書き情報の入力処理を実行する（Ｓ２１）。デジタルペン１１は、書き込みに応じて取得された用紙１５のアドレスデータをデジタルペン１１の備える記憶部２２２に格納する。
【００５０】
入力が完了するとデジタルペン１１は、サーバ２２に対して格納したアドレスデータを送信する（Ｓ２２）。このときのアドレスデータの送信は携帯電話機１３を介して行われるが、直接デジタルペン１１からサーバ２２に対してアドレスデータの送信が可能であれば、直接送信するようにしてもよい。
【００５１】
ユーザーは、デジタルペン１１を用いた手書き情報入力の完了時には用紙１５に記載された宛先リストを用いて宛先を指定する。デジタルペン１１は、アドレスデータの送信と指定された宛先に基づいた宛先情報をアドレスデータと関連付けて送信する。これが格納する記憶領域を指定する指定情報となる。
【００５２】
サーバ２２は、デジタルペン１１から送信されたアドレスデータ及び宛先情報を受信すると、受信したアドレスデータを記憶部２２２に格納する（Ｓ２３）。このとき、制御部２２０は、アドレスデータと関連付けられた宛先情報の内容により記憶部２２２の備える領域のうちどの領域に格納するかを判定し、記憶部２２２の判定した領域に格納する。この例では、手書き入力情報の宛先となるユーザーがアクセス可能な領域及び手書き入力を行ったユーザーがアクセス可能な領域に当該アドレスデータが格納される。
【００５３】
ＰＣ１４は、サーバ２２に格納されたアドレスデータを取得する場合、サーバ２２に対して送信データ確認要求情報を送信する（Ｓ２４）。サーバ２２は、ＰＣ１４から送信データ確認要求情報を受信すると、送信データがあるか否かを判定し（Ｓ２５）、送信データがある場合はＰＣ１４に対して記憶部２２２に格納されているアドレスデータを送信する（Ｓ２６）。
【００５４】
送信データがあるか否かの判定は次のようにして行う。ＰＣ１４がサーバ２２に対して送信する送信データ確認要求情報には、記憶部２２２の備える領域のうちどの領域を指定するかの情報が含まれている。サーバ２２は、ＰＣ１４から送信データ確認要求情報を受信すると、受信した送信データ確認要求情報から記憶部２２２の備える領域のうちどの領域を指定するかの情報を取得し、取得した当該情報に指定されている領域にアドレスデータが格納されているかを確認し、アドレスデータが格納されている場合、格納されているアドレスデータをＰＣ１４に対して送信する。
【００５５】
ＰＣ１４は、サーバ２２からアドレスデータを受信すると、内蔵しているアプリケーションソフトにより、受信したアドレスデータに対応した処理を行う。また、ＰＣ１６がサーバ２２に格納されたアドレスデータを取得する場合もＰＣ１４と同様の処理を行うことによりアドレスデータを取得可能である。このとき、ＰＣ１４とＰＣ１６では、記憶部２２２に対して指定する領域が異なるのでそれぞれのＰＣに対応したアドレスデータの取得が可能となる。
【００５６】
このようにして、デジタルペン１１により入力した手書き入力情報をＰＣ１４、ＰＣ１６により処理を行うことが可能となる。
【００５７】
発明の実施の形態３．
予め定められた複数のユーザーに対して別々の手書き入力情報を配信できるようにした例である。図１０に示す模式図を用いて本発明におけるデジタルペンシステムの構成例について説明する。本発明におけるデジタルペンシステムは、デジタルペン１１、サーバ２２、ＰＣ１４、用紙１５、ＰＣ１６、ＰＣ１７を備える。デジタルペン１１、サーバ２２、携帯電話機１３、ＰＣ１４、用紙１５、ＰＣ１６の具体的内容については発明の実施の形態１、２と同様であり、ここでは説明を省略する。また、ＰＣ１７は、ＰＣ１４、ＰＣ１６と同じ構成のＰＣをそのまま利用可能である。この例では、手書き入力情報の入力を行ったユーザーのＰＣ１４のみならず、その他のユーザーのＰＣ１６，１７に対してもこの手書き入力情報を配信することができる。
【００５８】
続いて、図１１に示すシーケンス図を用いて、本発明の実施の形態３における処理の流れについて説明する。
【００５９】
まず、利用者はデジタルペン１１を用いて用紙１５に書き込みを行うとデジタルペン１１は手書き情報の入力処理を行う（Ｓ３１）。デジタルペン１１は、用紙１５の書き込みに応じて取得されたアドレスデータをデジタルペン１１の備える記憶部２２２に格納する。
【００６０】
入力が完了するとデジタルペン１１は、サーバ２２に対して格納したアドレスデータを送信する（Ｓ３２）。このときのアドレスデータの送信は携帯電話機１３を介して行われるが、直接デジタルペン１１からサーバ２２に対してアドレスデータの送信が可能であれば、直接送信するようにしてもよい。
【００６１】
ユーザーは、デジタルペン１１を用いた手書き情報入力の完了時には用紙１５に記載された宛先リストから領域番号を指定する。デジタルペン１１は、アドレスデータと指定された領域番号に基づいた領域情報をアドレスデータと関連付けて送信する。これが格納する記憶領域を指定する指定情報となる。
【００６２】
サーバ２２は、デジタルペン１１から送信されたアドレスデータ及び領域情報を受信すると、受信したアドレスデータを記憶部２２２に格納する（Ｓ３３）。このとき、制御部２２０は、アドレスデータと関連付けられた領域情報の内容により記憶部２２２の備える領域のうちどの領域に格納するかを判定し、記憶部２２２の判定した領域に格納する。
【００６３】
ＰＣ１４は、サーバ２２に格納されたアドレスデータを取得する場合、サーバ２２に対して送信データ確認要求情報を送信する（Ｓ３４）。サーバ２２は、ＰＣ１４から送信データ確認要求情報を受信すると、送信データがあるか否かを判定し（Ｓ３５）、送信データがある場合はＰＣ１４に対して記憶部２２２に格納されているアドレスデータを送信する（Ｓ３６）。
【００６４】
送信データがあるか否かの判定は次のようにして行う。ＰＣ１４がサーバ２２に対して送信する送信データ確認要求情報には、記憶部２２２の備える領域のうちどの領域を指定するかの情報が含まれている。サーバ２２は、ＰＣ１４から送信データ確認要求情報を受信すると、受信した送信データ確認要求情報から記憶部２２２の備える領域のうちどの領域を指定するかの情報を取得し、取得した当該情報に指定されている領域にアドレスデータが格納されているかを確認し、アドレスデータが格納されている場合、格納されているアドレスデータをＰＣ１４に対して送信する。
【００６５】
ＰＣ１４は、サーバ２２からアドレスデータを受信すると、内蔵しているアプリケーションソフトにより、受信したアドレスデータに対応した処理を行う。また、ＰＣ１６、ＰＣ１７がサーバ２２に格納されたアドレスデータを取得する場合もＰＣ１４と同様の処理を行うことによりアドレスデータを取得可能である。このとき、ＰＣ１４、ＰＣ１６、ＰＣ１７共に、記憶部２２２に対して指定する領域が同一であるのでそれぞれのＰＣから共通してアドレスデータの取得が可能となる。
【００６６】
このようにして、デジタルペン１１により入力した手書き入力情報をＰＣ１４、ＰＣ１６、ＰＣ１７により同一データの処理を行うことが可能となる。
【００６７】
その他の発明の実施の形態．
上述の例では、サーバ１台の構成としたが、記憶部と制御部を別のサーバで行うようにしてもよい。また、記憶領域に応じて複数台のサーバで記憶部を構成するようにしてもよい。
【図面の簡単な説明】
【００６８】
【図１】本発明にかかるデジタルペンシステムの全体構成を示す模式図である。
【図２】本発明にかかるデジタルペンシステムのデジタルペンの構成を示す図である。
【図３】本発明にかかるデジタルペンシステムの用紙の一例を示す図である。
【図４】本発明にかかるデジタルペンシステムと携帯電話機の接続例を示す図である。
【図５】本発明にかかるデジタルペンシステムと携帯電話機の接続例を示す図である。
【図６】本発明にかかるサーバの構成を示すブロック図である。
【図７】本発明にかかるデジタルペンシステムの処理の流れを示すシーケンス図である。
【図８】本発明にかかるデジタルペンシステムの全体構成を示す模式図である。
【図９】本発明にかかるデジタルペンシステムの処理の流れを示すシーケンス図である。
【図１０】本発明にかかるデジタルペンシステムの全体構成を示す模式図である。
【図１１】本発明にかかるデジタルペンシステムの処理の流れを示すシーケンス図である。
【符号の説明】
【００６９】
１１    デジタルペン
１３    携帯電話機
１４    ＰＣ
１５    アノト用紙
１６    ＰＣ
１７    ＰＣ
２２    サーバ
１１１    インクリフィル
１１３    圧力センサ
１１５    光学モジュール
１１７    カメラ
１１９    光照射装置
１２１    バッテリ
１２５    メモリ
１２７    情報処理モジュール
１２９    クロック
１３３    無線通信システム
１３５    振動子
２０１    点
２０３    格子
２０５    交点
２１１    ピジェット
２１３    ピジェット
２２０    制御部
２２１    受信部
２２２    記憶部
２２３    送信部
【図１】
2007109025.tif 000003
【図２】
2007109025.tif 000004
【図３】
2007109025.tif 000005
【図４】
2007109025.tif 000006
【図５】
2007109025.tif 000007
【図６】
2007109025.tif 000008
【図７】
2007109025.tif 000009
【図８】
2007109025.tif 000010
【図９】
2007109025.tif 000011
【図１０】
2007109025.tif 000012
【図１１】
2007109025.tif 000013